(57)【要約】【課題】本発明は、本体内において効率良くケーブルを配設することが可能な電子機器の提供を目的とする。【解決手段】主回路基板２０には開口部２０ａが形成され、無線モジュール９の端部にはコネクタ９ａが実装される。ケーブル１０は表示部３よりヒンジ部７を介してカバー部１５と部品実装部２ｃとの間に引き回され、部品実装部２ｃに形成された開口部１２を介して本体２の内部に導入される。本体２の内部に導入されたケーブル１０のコネクタ１１は、ケーブル配設部２０ａを介して無線モジュール基板９のコネクタ９ａに電気的に接続される。【選択図】　図４
2004086794.tif 000002
【特許請求の範囲】
【請求項１】
本体と、
上記本体に内蔵される構成部品と、
上記本体に内蔵され、ケーブル配設部を有する第１の回路基板と、
上記第１の回路基板を間に挟んで上記構成部品と対向して配置される第２の回路基板と、
上記ケーブル配設部を介して上記構成部品と上記第２の回路基板とを電気的に接続するケーブルと、
を具備することを特徴とする電子機器。
【請求項２】
底壁を有する本体と、
上記本体に回動可能に接続される表示部と、
上記表示部内から上記本体内に配設されるケーブルと、
上記本体に内蔵されるとともにケーブル配設部を有する第１の回路基板と、
上記第１の回路基板と上記底壁との間に設けられる第２の回路基板と、を具備し、
上記ケーブルの一端は、上記ケーブル配設部を介して上記第２の回路基板に接続されることを特徴とする電子機器。
【請求項３】
上記ケーブル配設部は開口であることを特徴とする請求項２記載の電子機器。
【請求項４】
上記ケーブル配設部は切欠きであることを特徴とする請求項２記載の電子機器。
【請求項５】
上記表示部には電波を送受信するアンテナが設けられ、上記第２の回路基板は無線モジュールが実装されているとともに、上記ケーブルは上記アンテナと上記無線モジュールとに接続されることを特徴とする請求項２記載の電子機器。
【請求項６】
上記表示部はヒンジ部を介して上記本体に接続されるとともに、上記ケーブルは上記ヒンジ部を介して上記本体と上記表示部との間に配設されることを特徴とする請求項５記載の電子機器。
【請求項７】
底壁を有する本体と、
上記本体に回動可能に接続される表示部と、
上記表示部内に設けられるアンテナと、
上記アンテナに一端が電気的に接続されるとともに、他端が上記本体内に導出されるケーブルと、
上記本体に内蔵されるとともにケーブル配設部を有する第１の回路基板と、
上記第１の回路基板と上記底壁との間に設けられるとともに、上記ケーブルの他端が電気的に接続される第２の回路基板と、を具備し、
上記ケーブルの他端は、上記ケーブル配設部を介して上記第２の回路基板に電気的に接続されることを特徴とする電子機器。
【発明の詳細な説明】
【０００１】
【発明の属する技術分野】
本発明は、ノート型コンピュータ等の電子機器に係り、特に本体と表示部とに亘って設けられるケーブルの配設構造に関する。
【０００２】
【従来の技術】
近年、無線通信機能を実現するために、アンテナを内蔵したノート型パーソナルコンピュータが実用化されている。一例として、特開２００２−１５１９２８号公報がある。本体には無線モジュール基板が内蔵され、本体にヒンジ部を介して接続される表示部側には２つのアンテナからなるダイバーシティ方式のアンテナが内蔵されている。さらに無線モジュール基板とアンテナとはケーブルで接続されており、このケーブルはヒンジ部を介して表示部と本体とに亘って配設される構造が開示されている。
【０００３】
通常、無線モジュール基板は本体内に組み込まれた後も検査、保守等の関係により、本体底面付近に実装される。本体底面には開口が設けられ、無線モジュールが開口を介して実装された後にカバーにより開口が覆われる構造となっている。上記のように本体底面付近に実装された無線モジュール基板の情報には他の構成部品や他の回路基板が位置することになる。
【０００４】
したがってアンテナと無線モジュールとを接続するケーブルは本体内で他の構成部品や他の回路基板を回避した状態に配設された後に無線モジュールに接続されている。
【０００５】
【発明が解決しようとする課題】
上記したような従来の構成においては、ケーブルは他の構成部品や他の回路基板を回避する分長く形成される必要がある。さらには本体内に中継基板を設け無ければなら無い場合もある。したがって、従来の構成においてはコスト的に好ましくなく、さらには組み立て性が好ましくないという問題がある。
【０００６】
表示部から本体内に配設されるケーブルの接続構造として特開平１０−２６８９７６号公報がある。しかしながら、特開平１０−２６８９７６号公報に記載の構造は表示部から配設されるケーブルを如何にして本体内に効率よく引き込むかというものであり、本課題を解決するものではない。
【０００７】
本発明は、本体内において効率良くケーブルを配設することが可能な電子機器の提供を目的とする。
【０００８】
【課題を解決するための手段】
上記目的を達成するために、請求項１に係る電子機器は、本体と、上記本体に内蔵される構成部品と、上記本体に内蔵され、ケーブル配設部を有する第１の回路基板と、上記第１の回路基板を間に挟んで上記構成部品と対向して配置される第２の回路基板と、上記ケーブル配設部を介して上記構成部品と上記第２の回路基板とを電気的に接続するケーブルと、を具備することを特徴とする。
【０００９】
請求項２に係る電子機器は、底壁を有する本体と、上記本体に回動可能に接続される表示部と、上記表示部内から上記本体内に配設されるケーブルと、上記本体に内蔵されるとともにケーブル配設部を有する第１の回路基板と、上記第１の回路基板と上記底壁との間に設けられる第２の回路基板と、を具備し、上記ケーブルの一端は、上記ケーブル配設部を介して上記第２の回路基板に接続されることを特徴とする。
【００１０】
請求項７に係る電子機器は、底壁を有する本体と、上記本体に回動可能に接続される表示部と、上記表示部内に設けられるアンテナと、上記アンテナに一端が電気的に接続されるとともに、他端が上記本体内に導出されるケーブルと、上記本体に内蔵されるとともにケーブル配設部を有する第１の回路基板と、上記第１の回路基板と上記底壁との間に設けられるとともに、上記ケーブルの他端が電気的に接続される第２の回路基板と、を具備し、上記ケーブルの他端は、上記ケーブル配設部を介して上記第２の回路基板に電気的に接続されることを特徴とする。
【００１１】
このような構成により、本体内において効率良くケーブルを配設することが可能となる。
【００１２】
【発明の実施の形態】
以下本発明に係る実施の形態を、図１乃至図６を参照して説明する。
【００１３】
図１は、電子機器の斜視図である。ノート型コンピュータ等の電子機器１の本体２には表示部３がヒンジ部７を介して回動可能に接続される。本体２の上面２ａにはキーボード載置部４が形成されている。キーボード載置部４にはキーボード５が着脱可能に搭載される。表部部３にはＬＣＤパネル６が内蔵される。
【００１４】
表示部３内の上部には無線ＬＡＮで使用する２つのダイバシティアンテナ８ａ，８ｂが実装される。無線アンテナは、その受信感度を良くするため、高位置に設けるのが理想である。そのため、電子機器１を使用する状況を考慮して、使用時に高い位置となる表示部３の上部に、ダイバシティアンテナ８ａ，８ｂを設けている。さらにアンテナ８ａ，８ｂはＬＣＤパネル６と表示部３の背面との間に配設されている。
【００１５】
各アンテナ８ａ，８ｂは、同軸ケーブル１０により接続されている。ケーブル１０はＬＣＤパネル６の背面、ヒンジ部７を介して、表示部３と本体２とに亘って配設されている。本体２内部には後述する無線モジュール基板９が実装される。
【００１６】
図２は、本体よりキーボード、トップカバーおよび表示部を取り外した状態を示す斜視図である。本体２の上面２ａの後方には、図示しない機能部品（例えばスピーカ、ＬＥＤ）が実装される部品実装部２ｃが設けられる部品実装部２ｃはキーボード載置部４の後方に位置する。部品実装部２ｃには本体２の内部に通じる開口部１２が形成される。
【００１７】
表示部３にはヒンジ部７を介してカバー部１５が接続される。カバー部１５は部品実装部２ｃに取り付けられる。表示部３より配設されるケーブル１０はヒンジ部７を介してカバー部１５より延出される。ケーブル１０の一端には無線モジュール基板９に電気的に接続されるコネクタ１１が設けられる。コネクタ１１は開口部１２に十分挿入可能な大きさである。なお、開口部１２はコネクタ１１が挿通可能な形状であれば切欠き形状でも良い。
【００１８】
本体２の内部には主回路基板（第１の基板）２０は実装される。回路基板２０には複数の電子部品２２が実装される。無線モジュール基板（第２の回路基板）９は回路基板２０と本体２の底壁２ｂとの間に実装されている。
【００１９】
図３は、本体底面を示す斜視図である。本体底面２ｂには開口部１３が形成されている。開口部１３には着脱可能に蓋１４が取り付けられる。蓋１４を底面２ｂより取り外すと、無線モジュール９が露出される。無線モジュール９は後述するコネクタにより主回路基板２０に着脱可能に取り付けられており、開口部１３を介して着脱可能となっている。
【００２０】
図４は、ケーブルの配線経路を示す電子機器の断面図である。本体２内部には主回路基板２０と無線モジュール基板９とが互いに平行になるように配設される。回路基板２０は本体２の高さ方向の中央よりも下方に実装されており、その回路基板２０の下方で、かつ底面２ａと回路基板２０との間に位置するように無線モジュール基板９が実装されている。無線モジュール９は図３に示すように底面２ａに形成された開口部９を介して着脱可能となっている。
【００２１】
主回路基板２０の端部には開口部（ケーブル配設部）２０ａが形成される。ケーブル配設部２０ａと対向するように無線モジュール９の端部にはコネクタ９ａが実装される。ケーブル１０は表示部３よりヒンジ部７を介してカバー部１５と部品実装部２ｃとの間に引き回される。部品実装部２ｃにはケーブル１０が挿通される開口部１２が形成されており、この開口部１２を介してケーブル１０は本体２の内部に導入される。本体２の内部に導入されたケーブル１０の端部に設けられたコネクタ１１は、回路基板２０のケーブル配設部２０ａを介して無線モジュール基板９のコネクタ９ａに電気的に接続される。なお、ケーブル配設部２０ａは開口部ではなく切欠き部としても良くコネクタ１１が挿通可能な形状であれば問題ない。
【００２２】
図５は、表示部と本体との間のケーブル配線経路を示す電子機器の断面図である。表示部３は脚部３ｂの側面に形成されるケーブル挿通口３ｃを有している。
ヒンジ部７の側面（脚部３ｂと対向する面）にはケーブル挿通口７ａが形成されている。ケーブル１０は表示部３内からケーブル挿通口３ｃ、７ａを介して、本体２内部に亘って配設される。本体２内部に延出されたケーブル１０は部品実装部２ｃに形成されているケーブル挿通部１２および回路基板２０のケーブル配設部２０ａとを介して無線モジュール基板９のコネクタ９ａに接続される。
【００２３】
上記構成によれば、表示部３から本体２内に配設されたケーブル１０の本体２内部での配線経路を短縮することが可能であり組み立て性、さらには、ケーブル１０を短くすることが可能となりコスト的にも好ましい。
【００２４】
図６は、第２の実施の形態に係るケーブル配線経路を示す電子機器の断面図である。第１の実施の形態と同一構成要件については同一符号を付与して説明を省略する。第１の実施の形態においては表示部３内の構成部品から本体２内の構成部品に亘って配設されるケーブルの配設方法について説明したが、第２の実施の形態においては、本体２内の実装される構成部品同士を接続するケーブルの配設方法について説明する。
【００２５】
図６に示すように、本体２内部にはＨＤＤ、回路モジュール、ＦＤＤ等の構成部品２１が実装される。構成部品２１の下方には第１の回路基板２０が実装される。さらに、第１の回路基板２０の下方には第２の回路基板９が実装される。構成部品２１と第２の回路基板とがケーブルにて接続されるものとする。その場合、構成部品２１より演出されるケーブル１０はケーブル配設部２０ａを介して第２の回路基板のコネクタ９ａに接続される。
【００２６】
上記のような構成にした場合、２つの構成部品間に他の構成部品、例えば回路基板等が存在したとしても、ケーブル配設部を形成することでケーブルを略直線的に配設することが可能となり、ケーブルの長さを減少でき、さらにケーブルの配設構造を簡略化することが可能となる。
【００２７】
上記第１、第２の実施の形態ではケーブル配設部は回路基板に形成されているが、回路基板に限らず、例えばＨＤＤブラケット、ＦＤＤブラケット、回路モジュール等の他の構成部品にケーブル配設部を形成しても良いことは勿論である。
【００２８】
本発明ではその主旨を逸脱しない範囲であれば、上記の実施形態に限定されるものではない。そして、ＰＤＡ、デスクトップコンピュータ、携帯電話等に広く適用できるものである。
【００２９】
【発明の効果】
以上詳述した発明によれば、本体内において効率良くケーブルを配設することが可能である。
【図面の簡単な説明】
【図１】電子機器の斜視図。
【図２】本体よりキーボード、トップカバーおよび表示部を取り外した状態を示す斜視図。
【図３】本体底面を示す斜視図。
【図４】ケーブルの配線経路を示す電子機器の断面図。
【図５】表示部と本体との間のケーブル配線経路を示す電子機器の断面図。
【図６】第２の実施の形態に係るケーブル配線経路を示す電子機器の断面図。
【符号の説明】
１・・・電子機器、２・・・本体、３・・・表示部、４・・・キーボード載置部、５・・・キーボード、６・・・ＬＣＤパネル、７・・・ヒンジ部、８ａ，８ｂ・・・ダイバシティアンテナ、９・・・無線モジュール基板（第２の回路基板）、１０・・・同軸ケーブル、１１・・・コネクタ、１２・・・開口部、１４・・・蓋、１５・・・カバー部、２０・・・主回路基板（第１の基板）、２０ａ・・・ケーブル配設、２１・・・部構成部品
【図１】
2004086794.tif 000003
【図２】
2004086794.tif 000004
【図３】
2004086794.tif 000005
【図４】
2004086794.tif 000006
【図５】
2004086794.tif 000007
【図６】
2004086794.tif 000008